(57)【要約】【課題】  折板又はフラットな種々の金属屋根を緑化屋根とするものであり、金属屋根が新設又は既設を問わず、対応させることができる緑化屋根を提供すること。【解決手段】  略方形状の床面部１０を備えた植栽部支持体Ｂ0 と、複数の屋根板材Ａ1 ，Ａ1 同士の連結にて施工される金属屋根Ａと、隣接する前記屋根板材Ａ1 ，Ａ1 同士の連結継手部Ｔに装着固定される支持具Ｃと、植栽層２６ａと土壌層２６ｂから構成される植栽部２６とからなること。前記金属屋根Ａの連結継手部Ｔに装着された支持具Ｃを介して植栽部支持体Ｂ0 が金属屋根Ａ上に敷設されること。前記植栽部支持体Ｂ0 には植栽部２６が収納配置されてなること。【選択図】      図１
2005315046.tif 000002
【特許請求の範囲】
【請求項１】
略方形状の床面部を備えた植栽部支持体と、複数の屋根板材同士の連結にて施工される金属屋根と、隣接する前記屋根板材同士の連結継手部に装着固定される支持具と、植栽層と土壌層から構成される植栽部とからなり、前記金属屋根の連結継手部に装着された支持具を介して植栽部支持体が金属屋根上に敷設され、前記植栽部支持体には植栽部が収納配置されてなることを特徴とする緑化屋根。
【請求項２】
請求項１において、前記金属屋根と前記植栽部支持体との間には、空隙部が存在してなることを特徴とする緑化屋根。
【請求項３】
請求項１又は２において、前記植栽部は、予め所定期間成長済みとしたものが使用されてなることを特徴とする緑化屋根。
【請求項４】
請求項１，２又は３において、前記金属屋根に敷設された前記植栽部支持体は、前記支持具による固定解除により取外し自在としてなることを特徴とする緑化屋根。
【請求項５】
請求項４において、前記植栽部支持体は金属屋根に複数敷設され、複数の前記植栽部支持体の適宜の一つのみの取外しを可能としてなることを特徴とする緑化屋根。
【請求項６】
請求項１，２，３，４又は５において、前記植栽部支持体は、前記略方形形状の床面部の周囲に立上り側部が形成され，且つ上方に開口を有する収納筺体としてなることを特徴とする緑化屋根。
【請求項７】
請求項６において、前記収納筺体は、略方形状の床面部とその幅方向両端に形成される縦立上り側部とからなる本体部と、該本体部とは別部材とし，前記床面部の長手方向両端に装着される横立上り側部とから構成されてなることを特徴とする緑化屋根。
【請求項８】
請求項７において、前記収納筺体の本体部は、引抜き又は押出しによる一体成形とし、前記縦立上り側部には長手方向に沿って連続する螺子溝条が形成されてなることを特徴とする緑化屋根。
【請求項９】
請求項８において、前記収納筺体の本体部は幅方向に左右対称の２部材から構成されるものとし、その２部材の本体部の両床面部は適宜に設定された幅寸法を有する床板部材を介して連結されてなることを特徴とする緑化屋根。
【請求項１０】
請求項９において、前記床板部材は前記床面部に対して着脱自在としてなることを特徴とする緑化屋根。
【請求項１１】
請求項６において、前記収納筺体は、金属板材が適宜折曲されて前記床面部の周囲に縦立上り側部及び横立上り側部が形成されてなることを特徴とする緑化屋根。
【請求項１２】
請求項１，２，３，４又は５おいて、前記植栽部支持体は、略方形状の床面部とその幅方向両端に形成される縦立上り側部と前記床面部の長手方向両端に装着される横立上り側部とから構成され且つ前記床面部には水抜き孔が形成されてなるトレー状支持体としてなることを特徴とする緑化屋根。
【請求項１３】
請求項１２において、前記トレー状支持体は、合成樹脂又は、金属から形成されてなることを特徴とする緑化屋根。
【請求項１４】
請求項１，２，３，４又は５において、前記植栽部支持体は、略方形状の床面部のみから形成されたパレット状支持体としてなることを特徴とする緑化屋根。
【請求項１５】
請求項１４において、前記パレット状支持体は、合成樹脂から形成されてなることを特徴とする緑化屋根。
【請求項１６】
請求項１，２，３，４又は５において、前記植栽部支持体は、略方形状の床面部のみから形成された簀の子状支持体としてなることを特徴とする緑化屋根。
【請求項１７】
請求項１６において、前記簀の子状支持体は、合成樹脂から形成されてなることを特徴とする緑化屋根。
【請求項１８】
請求項１，２，３，４又は５において、略網状のシート状支持体としてなることを特徴とする緑化屋根。
【請求項１９】
請求項１８において、前記シート状支持体は金属製としてなることを特徴とする緑化屋根。
【請求項２０】
請求項１８において、前記シート状支持体は合成樹脂製としてなることを特徴とする緑化屋根。
【請求項２１】
請求項１，２，３，４，５，６，７，８，９，１０，１１，１２，１３，１４，１５，１６，１７，１８，１９又は２０において、前記支持具には、前記金属屋根の連結継手部を挟持固定する挟持部が設けられてなることを特徴とする緑化屋根。
【請求項２２】
請求項１，２，３，４，５，６，７，８，９，１０，１１，１２，１３，１４，１５，１６，１７，１８，１９，２０又は２１において、前記支持具の挟持部は、隣接する前記屋根板材同士の連結継手部の両側面を線接触状態で挟持してなることを特徴とする緑化屋根。
【請求項２３】
請求項１，２，３，４，５，６，７，８，９，１０，１１，１２，１３，１４，１５，１６，１７，１８，１９，２０，２１又は２２において、前記金属屋根の屋根板材同士の連結継手部は、屋根板材に形成された下馳部と上馳部とが馳締されてなる馳締部とし、該馳締部の首部箇所が挟持されるようにして支持具が装着されてなることを特徴とする緑化屋根。
【請求項２４】
請求項２３において、前記馳締部の首部の両側面は、前記支持具の両挟持部によって略線接触状態で挟持されてなることを特徴とする緑化屋根。
【請求項２５】
請求項１，２，３，４，５，６，７，８，９，１０，１１，１２，１３，１４，１５，１６，１７，１８，１９，２０，２１又は２２において、前記金属屋根の屋根板材同士の連結継手部は、屋根板材に形成された被嵌合屈曲部と、対向する被嵌合屈曲部に嵌合するキャップ材とからなる嵌合継手部４とし、前記キャップ材が挟持されるようにして支持具が装着されてなることを特徴とする緑化屋根。
【請求項２６】
請求項１，２，３，４，５，６，７，８，９，１０，１１，１２，１３，１４，１５，１６，１７，１８，１９，２０，２１又は２２において、前記金属屋根の屋根板材同士の連結継手部は、略垂直板状に形成される立馳締部とし、該立馳締部が挟持されるようにして支持具が装着されてなることを特徴とする緑化屋根。
【請求項２７】
請求項１，２，３，４，５，６，７，８，９，１０，１１，１２，１３，１４，１５，１６，１７，１８，１９，２０，２１又は２２において、前記金属屋根の屋根板材同士の連結継手部は、瓦棒部とし、該瓦棒部が挟持されるようにして支持具が装着されてなることを特徴とする緑化屋根。
【請求項２８】
請求項１，２，３，４，５，６，７，８，９，１０，１１，１２，１３，１４，１５，１６，１７，１８，１９，２０，２１，２２，２３，２４，２５，２６又は２７において、前記植栽部支持体の床面部には、多数の水抜き孔が形成されてなることを特徴とする緑化屋根。
【請求項２９】
請求項１，２，３，４，５，６，７，８，９，１０，１１，１２，１３，１４，１５，１６，１７，１８，１９，２０，２１，２２，２３，２４，２５，２６，２７又は２８において、前記金属屋根は、新設であることを特徴とする緑化屋根。
【請求項３０】
請求項１，２，３，４，５，６，７，８，９，１０，１１，１２，１３，１４，１５，１６，１７，１８，１９，２０，２１，２２，２３，２４，２５，２６，２７又は２８において、前記金属屋根は、既設であることを特徴とする緑化屋根。
【請求項３１】
請求項１，２，３，４，５，６，７，８，９，１０，１１，１２，１３，１４，１５，１６，１７，１８，１９，２０，２１，２２，２３，２４，２５，２６，２７，２８，２９，又は３０において、前記収納筺体Ｂとともに、歩行可能な通路材を前記支持具を介して装着してなることを特徴とする緑化屋根。
【発明の詳細な説明】
【技術分野】
【０００１】
本発明は、折板又はフラットな種々の金属屋根を緑化屋根とするものであり、金属屋根が新設又は既設を問わず、対応させることができる緑化屋根に関する。
【背景技術】
【０００２】
近年、屋根上面を利用して植物，作物等の栽培が行われる緑化屋根の施工が増えている。特に、屋根上は、日当たり，風通し等の栽培に好適な条件が揃っており、このようなことから栽培に適している。また、緑化屋根は単に屋根を鮮やかにするだけでなく、植物の炭酸同化作用等により環境にも極めて良い影響を与えるもので、近年その緑化屋根が大いに奨励されている。このような緑化屋根は、その施工にはかなりの技術が必要であり、植物生育のための水分を必要とし、そのために湿ったマット材や土壌が敷設されるようにしたものが多く見受けられる。そして、適正量の水分が常時確保されるようにした緑化屋根が多く見受けられる。このようなものとして、下記特許文献１が存在する。
【特許文献１】特開２０００−１７７９２
【発明の開示】
【発明が解決しようとする課題】
【０００３】
ところで、上記特許文献１に開示されている緑化屋根では、栽培用の土壌が屋根に盛り付けられ、しかも常時濡れているか、又は湿った状態である。したがって、上記特許文献１に類する緑化屋根では、通常の金属屋根とは異なり、防水性に関して特に注意を払う必要がある。そして、このような高い防水性は、施工現場で防水工事を行わなければ、目的とする防水構造が得られない。且つ非常に丁寧な防水施工が行われなければならず、構造が複雑なものになりがちであった。これに加えて高度な施工技術を必要とし、ひいては施工費用も高くなるものであった。さらに、緑化屋根の施工において、施工の完了直後から一定期間の間は、植物が充分に成長していないことが多く、その外観も緑と土とが混在する極めて見苦しい状態である。すなわち、良好な緑化屋根状態になるまでに、ある程度の期間を要するのである。さらに、植栽物が枯れてしまったり、根腐れ等を生じた場合に、その傷んだ部分が収納されている筺体のみを新たな植栽収納筺体に容易に交換することができないという不都合もあった。
【０００４】
さらにまた、経済的で簡易な緑化屋根システムが求められ、その１つが安価な金属折板に直接，土壌，植栽マットをじかに敷設することがあり、この場合上記金属折板は常時濡れている、且つ化学肥料等はこの水分中に溶解しており、金属折板の腐食を著しく促進し、したがって汎用のメッキ鋼板や汎用の塗装鋼板からなる金属折板を使用するとすぐに腐食してしまうということで、そのような種類のものは使用することができなかった。このために耐蝕性に優れた高価な塗装鋼板や耐候性，耐蝕性，防水性に優れた樹脂フィルムを被覆した高価な材料からなる折板を使用しなければならなかった。これがコストを上昇させる原因となっている。本発明が解決しようとする技術的課題（又は目的）は、工場の生産段階で、緑化部分を構成し、現場では最小限の行程で効率良く施工し、耐久性があり、且つ低価格に提供することにある。
【課題を解決するための手段】
【０００５】
そこで、発明者は、上記課題を解決すべく、鋭意，研究を重ねた結果、本発明を、略方形状の床面部を備えた植栽部支持体と、複数の屋根板材同士の連結にて施工される金属屋根と、隣接する前記屋根板材同士の連結継手部に装着固定される支持具と、植栽層と土壌層から構成される植栽部とからなり、前記金属屋根の連結継手部に装着された支持具を介して植栽部支持体が金属屋根上に敷設され、前記植栽部支持体には植栽部が収納配置されてなる緑化屋根としたことにより、上記課題を解決したものである。
【０００６】
次に、前述の構成において、前記金属屋根と前記植栽部支持体との間には、空隙部が存在してなる緑化屋根としたことにより、上記課題を解決したものである。また、前述の構成において、前記植栽部は、予め所定期間成長済みとしたものが使用されたり、前記金属屋根に敷設された前記植栽部支持体は、前記支持具による固定解除により取外し自在としらことにより、上記課題を解決したものである。
【０００７】
次に、前述の構成において、前記植栽部支持体は金属屋根に複数敷設され、複数の前記植栽部支持体の適宜の一つのみの取外しを可能としたり、前記植栽部支持体は、前記略方形形状の床面部の周囲に立上り側部が形成され，且つ上方に開口を有する収納筺体としたことにより、上記課題を解決したものである。
【０００８】
さらに、前述の構成において、前記収納筺体は、略方形状の床面部とその幅方向両端に形成される縦立上り側部とからなる本体部と、該本体部とは別部材とし，前記床面部の長手方向両端に装着される横立上り側部とから構成されたり、前記収納筺体の本体部は、引抜き又は押出しによる一体成形とし、前記縦立上り側部には長手方向に沿って連続する螺子溝条が形成されることにより、上記課題を解決したものである。
【０００９】
次に、前述の構成において、前記収納筺体の本体部は幅方向に左右対称の２部材から構成されるものとし、その２部材の本体部の両床面部は適宜に設定された幅寸法を有する床板部材を介して連結されたり、前記床板部材は前記床面部に対して着脱自在としてなる緑化屋根としたことにより、上記課題を解決したものである。
【００１０】
また、前述の構成において、前記収納筺体は、金属板材が適宜折曲されて前記床面部の周囲に縦立上り側部及び横立上り側部が形成されたり前記植栽部支持体は、略方形状の床面部とその幅方向両端に形成される縦立上り側部と前記床面部の長手方向両端に装着される横立上り側部とから構成され且つ前記床面部には水抜き孔が形成されてなるトレー状支持体としたり、前記トレー状支持体は、合成樹脂又は金属から形成されてなる緑化屋根としたことにより、上記課題を解決したものである。
【００１１】
次に、前述の構成において、前記植栽部支持体は、略方形状の床面部のみから形成されたパレット状支持体としたり、前記パレット状支持体は、合成樹脂から形成することにより、上記課題を解決したものである。また、前記植栽部支持体は、略方形状の床面部のみから形成された簀の子状支持体としたり、前記簀の子状支持体は、合成樹脂から形成することにより、上記課題を解決したものである。さらに、前記植栽部支持体は、略網状のシート状支持体としたり、前記シート状支持体は金属製としたり、前記シート状支持体は合成樹脂製とすることにより、上記課題を解決したものである。
【００１２】
また、前述の構成において、前記支持具には、前記金属屋根の連結継手部を挟持固定する挟持部が設けられたり、こ前記支持具の挟持部は、隣接する前記屋根板材同士の連結継手部の両側面を線接触状態で挟持されたり、前記金属屋根の屋根板材同士の連結継手部は、屋根板材に形成された下馳部と上馳部とが馳締されてなる馳締部とし、該馳締部の首部箇所が挟持されるようにして支持具が装着されてなる緑化屋根としたことにより、上記課題を解決したものである。
【００１３】
また、前述の構成において、前記馳締部の首部の両側面は、前記支持具の両挟持部によって略線接触状態で挟持されたり、前記金属屋根の屋根板材同士の連結継手部は、屋根板材に形成された被嵌合屈曲部と、対向する被嵌合屈曲部に嵌合するキャップ材とからなる嵌合継手部とし、前記キャップ材が挟持されるようにして支持具が装着されたり、前記金属屋根の屋根板材同士の連結継手部は、略垂直板状に形成される立馳締部とし、該立馳締部が挟持されるようにして支持具が装着されることにより、上記課題を解決したものである。
【００１４】
また、前述の構成において、前記金属屋根の屋根板材同士の連結継手部は、瓦棒部とし、該瓦棒部が挟持されたり、前記床面部には、多数の水抜き孔が形成されたり、前記金属屋根は、新設としたり、既設としたり、前記収納筺体とともに、歩行可能な通路材を前記支持具を介して装着することにより、上記課題を解決したものである。
【発明の効果】
【００１５】
請求項１の発明によれば、防水に関しては金属屋根の部位のみの防水性を良好にするのみでよく、また収納筺体及び植栽部は予め工場にて組立且つ収納することができ、建築現場においては、極めて効率的に施工することができる。請求項２の発明によれば、金属屋根と前記植栽部支持体との間の空隙部によって植栽部に含まれている水分が流れだしたときに、空隙部箇所によって水を排出し易くでき、且つ植栽部支持体の直下の風通しが良好であり、不要な水の乾きを促進させることができ、ひいては植栽部の根腐れなどを防止することができるものである。請求項３の発明によれば、施工完了とともに緑化した植栽部を鑑賞することができるものである。
【００１６】
請求項４の発明によれば、さらに、収納筺体は、金属屋根から独立して支持具を介して装着固定されたものであり、施工後にたとえば収納筺体が損傷したり、或いは植栽部の種類を変更したい等の場合に、その支持具の固定を解除するのみで、収納筺体を別の収納筺体へ変更したり、交換すること等が極めて容易にできるものである（図１９参照）。請求項５の発明によれば、金属屋根に敷設した複数の収納筺体から、植栽物が枯れてしまったり、根腐れ等を生じた植栽部が収納された収納筺体のみを新たな植栽収納筺体に交換することができるし、また植栽部の内容を変更したい収納筺体のみを他の収納筺体に変更することができるものである。
【００１７】
請求項６の発明によれば、植栽部支持体を収納筺体としたことにより、該収納筺体には植栽部を安定した状態で収納することができる。請求項７の発明によれば、植栽部支持体を収納筺体としたことにより、その組立は極めて簡単であり、効率的な作業にすることができるものである。請求項８の発明によれば、前記収納筺体を構成する各部品は、大量生産が可能であり、またその長手方向の長さも適宜に調整自在である。請求項９の発明によれば、収納筺体の幅方向を予め設定した所望の寸法にて組み立てることができる。さらに請求項１０の発明によれば、収納筺体の幅方向の寸法を適宜設定することができる。請求項１１の発明によれば、前記収納筺体は１枚の金属板材からプレス成形にて製造することができ、特に薄板金属材とした場合には、軽量化且つ低価格にて提供することができる。      
【００１８】
請求項１２の発明によれば、植栽部支持体をトレー状支持体としたことにより、これに収納された植栽部の周囲が囲まれるようになり、植栽部が脱落しにくい安定した収納状態にできる。また水抜き孔により水抜きが効率的に行なわれ、根腐れ等を防止できる。さらに、予め屋根等の据付け現場以外の工場，倉庫等の植栽部保管場所等にて植栽部を収納することができ、これを屋根の据え付け現場に搬送するのみで、緑化屋根を施工することができる。また、屋根に配置された多数のトレー状支持体の中に枯れたり，根腐れ等の不良が入り込んでいても、そのトレー状支持体のみを交換することができるので、保守，管理作業が効率的にできる利点がある。また、請求項１３の発明によれば、トレー状支持体を合成樹脂又は金属材により成形することで、緑化屋根全体の軽量化を実現でき、且つ大量生産に向いており、ひいては低価格化に貢献するものである。
【００１９】
次に、請求項１４の発明によれば、植栽部支持体をパレット状支持体としたことにより、緑化屋根に配置しやすく、ひいては施工を簡単にできる。さらに、パレット状支持体は、略平坦状の支持面であり、高さ方向に仕切り部位が存在しないので、植栽部の草刈りを行ない易いものである。また、請求項１５の発明によれば、パレット状支持体を合成樹脂製としたことにより、緑化屋根全体の軽量化を実現できる。請求項１６の発明によれば、植栽部支持体を簀の子状支持体としたことにより、緑化屋根に配置しやすく、ひいては施工を簡単にできる。さらに、簀の子状支持体は、略平坦状の支持面であり、高さ方向に仕切り部位が存在せず、植栽部の草刈りを行ない易くすることができる。また、請求項１７の発明によれば、簀の子状支持体を合成樹脂製としたことにより、緑化屋根全体の軽量化を実現できる。次に、請求項１８の発明によれば、植栽部支持体をシート状支持体としたことにより、柔軟性に富み、屋根への設置が極めて簡単である。また、請求項１９の発明によれば、シート状支持体を金属製としたことにより、柔軟性を有しながらも極めて、強固且つ耐久性のあるものにできる。さらに、請求項２０の発明によれば、シート状支持体を合成樹脂製としたことにより極めて軽量にすることができる。
【００２０】
請求項２１の発明によれば、前記支持具を前記金属屋根の連結継手箇所に容易に装着することができる。請求項２２の発明によれば、支持具の挟持部は、金属屋根の連結継手部に対して線接触状態で挟持するので、特に挟持による締付力を向上させることができ、前記植栽部が収納された収納筺体の重量が大きいときなどに、その収納筺体を連結継手部に強固に装着することができる。請求項２３の発明によれば、連結継手部箇所を馳締部としたことにより、支持具を挟持部によって容易に装着することができる。請求項２４の発明によれば、馳締部の首部箇所の両側を支持具の挟持部によって線接触状態で固定することができるので、支持具を連結継手部に極めて強固且つ安定した状態で装着することができる。
【００２１】
次に、請求項２５乃至請求項２７の発明によれば、支持具を連結継手箇所に極めて容易に装着することができる。請求項２８の発明によれば、収納筺体における水抜きが容易に行われ、植栽部の根腐れを防止することができる。請求項２９の発明によれば、新設の金属屋根であるがゆえに、特に防水処理を施すことなく高い防水性を得ることができる。請求項３０の発明によれば、既設の金属屋根の連結継手箇所に支持具を介して収納筺体を装着するのみで極めて簡単に緑化屋根を施工することができる。請求項３１の発明によれば、緑化屋根の施工及び施工完了後の維持管理の作業を行いやすいものにできる。また、本願全体に共通した特徴であるが、スコップ等で強く土壌層を堀り、それが植栽部支持体（収納筺体，トレー状支持体，パレット状支持体，簀の子状支持体又はシート状支持体等）に当たっても、屋根材に当たることはないので、屋根材を傷めることなく、安心してスコップ等で掘ることができるのである。
【発明を実施するための最良の形態】
【００２２】
以下、本発明を図面に基づいて説明する。まず、本発明は、主に金属屋根Ａ，植栽部支持体Ｂ0 ，支持具Ｃ及び植栽部等から構成される。まず、金属屋根Ａは、既設或いは新設のいずれの場合も含まれる。その金属屋根Ａには、種々の種類が存在し、主に、折板タイプとフラットタイプとが存在する。そして、その折板タイプでは、図１，２に示すように、断面がほぼ台形山形状の山形部１と、平坦状の底部２とが交互に連続したものである。金属屋根Ａは、複数の屋根板材Ａ1 ，Ａ1 ，…が並設され、その隣接する屋根板材Ａ1 ，Ａ1 同士の端部が連結されて、連結継手部Ｔを構成して金属屋根Ａが施工される。その連結継手部Ｔが、前記山形部１となる場合が多い。
【００２３】
前記金属屋根Ａと前記植栽部支持体Ｂ0 との間には、空隙部Ｓが存在している。すなわち、金属屋根Ａを構成する屋根板材Ａ1 ，Ａ1 ，…による山形部１上に支持具Ｃを介して、植栽部支持体Ｂ0 が支持されるので、金属屋根Ａと植栽部支持体Ｂ0 との間には空隙部Ｓが生じるものである。この空隙部Ｓの存在により、スコップ、ショベル等で強く土壌層を堀り、それが植栽部支持体Ｂ0 （収納筺体Ｂ，トレー状支持体Ｂ2 ，パレット状支持体Ｂ3 ，簀の子状支持体Ｂ4 又はシート状支持体Ｂ5 等）の底部分に当たっても、金属屋根Ａに当たることがなく、よって屋根材を傷めることなく、安心してスコップやショベル等の器具を使用して、穴堀等の作業ができるものである。
【００２４】
次に、植栽部支持体Ｂ0 は、前記金属屋根Ａ上に敷設されるものであり、図４に示すように、後述する植栽部２６を収納する役目をなすものである。植栽部支持体Ｂ0 は、収納筺体Ｂ，トレー状支持体Ｂ2 ，パレット状支持体Ｂ3 ，簀の子状支持体Ｂ4 及びシート状支持体Ｂ5 としたものが存在する。まず、前記植栽部支持体Ｂ0 を収納筺体Ｂとしたタイプについて説明する。このタイプでは、略方形状の床面部１０を備え、該床面部１０とその幅方向両端には縦立上り側部１１が形成され、前記床面部１０の長手方向両端には横立上り側部１３，１３が形成される。その収納筺体Ｂは、略長方形状の筺体として形成されたものである。その収納筺体Ｂは、図５に示すように、複数の構成部材から構成され、主に本体部Ｂ1 と横立上り側部１３とから構成される。その本体部Ｂ1 は、略長方形状の床面部１０の狭幅方向両側に縦立上り側部１１，１１から構成されたものである。
【００２５】
その床面部１０及び縦立上り側部１１，１１には、図５，図６に示すように、その長手方向に沿って連続形成された溝状の螺子溝条１２が形成されている。その床面部１０は、略平坦状に形成され、縦立上り側部１１，１１は、その床面部１０に対して直角に立上り形成されたものである。そして、縦立上り側部１１，１１の上端には内方（床面部１０側）に向かって水平状片１１ａが形成され、該水平状片１１ａの内端より下方に垂下状片１１ｂが形成されている。
【００２６】
前記本体部Ｂ1 の床面部１０における両短辺箇所（前記狭幅方向とは異なる両他辺）には、横立上り側部１３，１３が装着される。該横立上り側部１３は、ビス等の固着具９を介して前記螺子溝条１２にねじ込み固着されるものである。前記横立上り側部１３は、横側壁板１３ａの上端に水平状片１３ｂが形成されたものである。その本体部Ｂ1 に両横立上り側部１３，１３が装着されることにより、図６（Ｃ）に示すように、上方が開口部となる筺体が構成される。また、前記横立上り側部１３の下方箇所には、図５に示すように、案内部１３ｃが形成されている。該案内部１３ｃは、上下に平行状態となる２枚の案内片１３ｃ1 ，１３ｃ1 から構成されている。この案内片１３ｃ1 ，１３ｃ1 は、前記横側壁板１３ａに対して、略直角になるように形成されたものである。
【００２７】
この２枚の案内片１３ｃ1 ，１３ｃ1 の間に前記本体部Ｂ1 の床面部１０を挿入するようにして、横立上り側部１３と本体部Ｂ1 とを安定した状態で接合することができるようになっている。その案内片１３ｃ1 ，１３ｃ1 の間隔は、前記床面部１０とともに、該床面部１０に形成されている螺子溝条１２も含めて挿入することができるようになっている。或いは、特に図示しないが、上方に位置する案内片１３ｃ1 には、前記螺子溝条１２の位置に対応する箇所に切除部を設け、これによって、前記両案内片１３ｃ1 ，１３ｃ1 の間隔に床面部１０のみが挿入可能とする構成とすることもできる。また、その案内部１３ｃは、横立上り側部１３の強度を増すとともに、この横立上り側部１３により構成された収納筺体Ｂの強度も向上させることができる利点もある。
【００２８】
上記本体部Ｂ1 は、アルミニウム材を引抜き又は押出しによる成形にて型材として形成されたもので、床面部１０，縦立上り側部１１，１１及び螺子溝条１２が一体的に成形されてゆく。また、本体部Ｂ1 の床面部１０は、通常長方形であるが、必ずしも長方形とは限らず、正方形としても構わない。この場合には床面部１０の狭幅方向両端の縦立上り側部１１，１１と、横立上り側部１３，１３との長手方向の長さは等しくなることもある。収納筺体Ｂの大きさは、具体的な一例として、狭幅方向で２００〜６０００mmであり、長手方向において同様に２００〜６０００mmである。
【００２９】
この収納筺体Ｂは、前記床面部１０においてその狭幅方向で複数の部材から構成される実施形態が存在する。この実施形態では床面部１０が狭幅方向で３分割される。すなわち、狭幅方向両側の床面部１０と一つの縦立上り側部１１とが一体化されたものが本体部Ｂ1 として構成されており、前述したように、アルミニウム材が引抜き又は押出しによる成形にて形成されたものである。この床面部１０と縦立上り側部１１とが一体的に形成された２つの本体部Ｂ1 ，Ｂ1 は、左右対称形状である。その左右対称の本体部Ｂ1 ，Ｂ1 の床面部１０，１０間に床板部材１４が配置される。該床板部材１４は、前記床面部１０とともに収納筺体Ｂの床を構成するものである。
【００３０】
この床板部材１４と前記床面部１０との接合手段は、種々のタイプが存在する。その第１タイプの手段は、図７に示すように、床面部１０と床板部材１４とがボルト１５ａ・ナット１５ｂからなる固着具１５による接合固着手段である。これは両床面部１０，１０間に上方より床板部材１４が配置され、適宜のピッチを有して前記ボルト１５ａ・ナット１５ｂによる固着が行われる。これは、床板部材１４の幅方向の寸法の大小により、収納筺体Ｂの大きさが決定することになる。この床板部材１４に種々のサイズのものを予め用意しておき、これらから適宜に選択して、本体部Ｂ1 とともに収納筺体Ｂを形成すると収納筺体Ｂの幅方向の寸法を小幅寸法Ｗ0 から大幅寸法Ｗ1 まで種々の大きさに設定することができる〔図７（Ｃ）参照〕。また、接合固着手段の第２タイプでは、図８に示すように、両床面部１０，１０と床板部材１４とが溶接手段１６により固着されるものである。この溶接手段によれば、両床面部１０，１０と床板部材１４とを極めて強固な固着とすることができる。
【００３１】
次に、接合手段の第３タイプとしては、図９に示すように、差込みタイプであり、具体的には、前記両床面部１０，１０の端部箇所には、それぞれ差込み用溝１０ａ，１０ａが形成されている。該差込み用溝１０ａは、扁平略Ｃ字形状である。また床板部材１４の幅方向両端箇所には、板面上に突起１４ａが形成されている。そして、床板部材１４が前記差込み用溝１０ａに差し込まれた状態で、前記突起１４ａが差込み用溝１０ａ内面側を押圧し、床面部１０と床板部材１４とが固定される。また、前記差込み用溝１０ａ内にも突起１０ａ1 が形成され、前記床板部材１４の突起１４ａと係止させて接合力を強固にすることもある〔図９（Ｃ）参照〕。
【００３２】
この第３タイプでは、床板部材１４を床面部１０，１０に対して差し込みより接合することができ、また簡単に床面部１０，１０と床板部材１４とを分離させることができるので、組立てが簡単であり、また設置場所を変更しなければならない場合においても、簡単に分解することができ、施工効率を良好することができる。また、図１０では、床板部材１４として、幅方向に複数の小凸部１４ｂ，１４ｂ，…が所定間隔をおいて形成されたものが存在する。また、図１０（Ｂ）に示すように、床板部材１４の幅方向端部には係止端縁１４ｃが形成され、また本体部Ｂ1 の床面部１０箇所には被係止部が形成され、前記係止端縁１４ｃが係止して床面部１０と床板部材１４とが接続されるようになっている。上記の床面部１０及び床板部材１４には、水抜き孔ｈ，ｈ，…が多数形成されることもある。これは、植栽部２６を育成する水分が過剰に溜まって根腐れすることを防止するものである。
【００３３】
また、前記収納筺体Ｂは、金属板を適宜に折曲するプレス加工筺体として形成することもある。この場合には、１枚の金属板から形成することができるものであって、まず図２０（Ｃ）に示すように、長方形又は正方形等の方形状の金属薄板材の各４つの角部が正方形状に切除される。そして、図２０（Ｄ）乃至（Ｅ）に示すように、その４辺が垂直に立ち上げられて立上り側部が形成される。さらに各立上り側部の上端箇所が筺体内方に向かって水平状に折曲形成され、筺体が形成される。これによって、前記アルミニウム材の引抜き又は押出しによる成形にて形成された収納筺体Ｂと略同等の床面部１０，縦立上り側部１１及び横立上り側部１３を有する収納筺体Ｂが形成されるものである〔図２０（Ａ）参照〕。そして、縦立上り側部１１及び横立上り側部１３との接合は、図２０（Ｂ）に示すようにビス，ボルト等の固着具による固着手段としたり、又は図２０（Ｆ）に示すように、溶接手段とすることがある。
【００３４】
次に、支持具Ｃは、前述した金属屋根Ａの第１乃至第４タイプにそれぞれ対応したものが存在する。まず第１タイプの支持具Ｃは、図３に示すように、同様に金属材からなり、支持部材Ｃ1 と押え部材２３とからなる。その支持部材Ｃ1 は図３（Ａ）に示すように、屋根板材Ａ1 ，Ａ1 同士の馳締部３に対応するものである。その支持部材Ｃ1 は、主に支持上面部１８，挟持部１９，締付具２０及び支持脚部２１等から構成されている。その支持上面部１８は、図３（Ｅ）に示すように、長方形又は正方形等の方形状に形成され板部材としたものであり、その支持上面部１８の下面側に前記挟持部１９，１９が左右対称に形成されている〔図３（Ｂ），（Ｃ），（Ｄ）参照〕。
【００３５】
この挟持部１９，１９は、前記馳締部３の首部３ｃを挟持するものであり、その挟持部１９，１９は、板状をなし、その下端には、互いに内方に向かって略直角状に屈曲形成された挟持用屈曲片１９ａ，１９ａが形成されている。そして、該挟持用屈曲片１９ａ，１９ａが相互に近接し、その挟持用屈曲片１９ａ，１９ａの先端同士で前記馳締部３の首部３ｃ箇所を挟持することができる。前記両挟持部１９，１９の挟持用屈曲片１９ａ，１９ａは、長手方向に適宜の長さを有して形成されたものであり、特に前記馳締部３の首部３ｃの両側面は、前記両挟持部１９，１９によって、略線接触状態で挟持される。これによって、馳締部３に対して両挟持部１９，１９の接触が広範囲となり、従来タイプにみられるように、ボルトの先端部で首部３ｃを押圧して固定する場合よりも極めて強固なる支持固定とすることができるものである。その両挟持部１９，１９にはボルト２０ａ・ナット２０ｂからなる締付具２０によって締め付けられる。
【００３６】
また、前記支持上面部１８の下面側には支持脚部２１が設けられている。該支持脚部２１は、略門形状に形成されたものであり、４本の脚柱２１ａ，２１ａ，…のそれぞれの下端には設置部２１ｂ，２１ｂ，…が形成されたものである。全脚柱２１ａ，２１ａ，…は、支持上面部１８の下面側の４つの角部箇所に位置して垂下状に形成され、前記挟持部１９，１９の周囲を囲むようにして配置されている。その設置部２１ｂ，２１ｂ，…は、前記脚柱２１ａ，２１ａ，…の上下方向に対して、直角状に形成されている。その脚柱２１ａ，２１ａ，…は、前記馳締部を跨ぐようにして配置され、その設置部２１ｂ，２１ｂ，…は、金属屋根Ａの頂部１ｂに設置される。前記支持上面部１８には、固定用螺子軸部２２が植設されている。
【００３７】
次に、押え部材２３は、図１１（Ａ）乃至（Ｃ）に示すように、押さえ片２３ａと補助片２３ｂとから構成されている。その押さえ片２３ａ，補助片２３ｂは共に板片状に形成され、両者が相互に直角に連続して、断面略Ｌ字形状となるように形成されたものである。その押え部材２３は、前記支持上面部１８とともに前記収納筺体Ｂの周囲の縦立上り側部１１，１１及び横立上り側部１３，１３を挟持するようにして、金属屋根Ａ上に設置する役目をなす部位である。その押さえ片２３ａには、前記固定用螺子軸部２２が貫通するための固定用貫通孔２３ｃが形成されている。そして、その押え部材２３が前記支持部材Ｃ1 の支持上面部１８上に配置されるとともに、前記固定用貫通孔２３ｃに固定用螺子軸部２２が貫通し、固定用ナット２５にて固着される。また、押え部材２３は、図１７（Ｃ）に示すように、板片状の押さえ片２３ａのみから形成されることもある。
【００３８】
次に、第２タイプの支持具Ｃは、図１２，図１３に示すように、隣接する屋根板材Ａ1 ，Ａ1 同士がキャップ材４ｂを介して行う嵌合による嵌合継手部４に対応するものである。その支持具Ｃは、金属材からなり、支持部材Ｃ1 と押え部材２３とからなる。その支持部材Ｃ1 は図１４（Ａ），（Ｂ）に示すように、平坦状の支持上面部１８の幅方向両端箇所から挟持部１９，１９が左右対称に形成されている。前記支持上面部１８には、固定用螺子軸部２２が垂直状に固着されている。両挟持部１９，１９にて前記第１タイプの金属屋根Ａのキャップ材４ｂの両嵌合側片４ｂ2 ，４ｂ2 を挟持するとともに、前記挟持用屈曲片１９ａ，１９ａにて嵌合屈曲片４ｂ3 ，４ｂ3 に食い込むようにして設置することができる。
【００３９】
前記両挟持部１９，１９には、締付具２０が装着されている。該締付具２０は、ボルト２０ａ・ナット２０ｂであり、そのボルト２０ａが前記両挟持部１９，１９に形成された貫通孔を貫通しており、そのボルト２０ａの螺子部に螺合された前記ナット２０ｂを締め付けることにより、前記両挟持部１９，１９の間隔が狭くなり、前記挟持用屈曲片１９ａ，１９ａが相互に近接するものである。前記押え部材２３は、第１タイプの支持具Ｃと同一のものである。
【００４０】
次に、第３タイプの支持具Ｃは、図１５（Ａ）に示すように、同様に金属材からなり、支持部材Ｃ1 と押え部材２３とからなる。その支持部材Ｃ1 は図１５（Ｂ）に示すように、フラット屋根の立馳構造の立馳締部５に適用されるものである。この支持具Ｃにおいて、支持上面部１８は、比較的狭幅の長方形状に形成されたものであり、支持上面部１８の両長辺から脚側部２４，２４が形成され、前記支持上面部１８と両脚側部２４，２４によって鞍形状となっている。その両脚側部２４，２４間に左右対称１組の挟持部１９，１９が配置されている。該挟持部１９，１９は、前記立馳締部５の下方の括れ部を挟持して、締付具２０により両脚側部２４，２４とともに、前記挟持部１９，１９が締め付けられる。また図１５（Ａ）に示すように、挟持部１９，１９の上部箇所が当接して、両挟持部材１９，１９の間隔を常時一定にすることができるものである。
【００４１】
次に、第４タイプの支持具Ｃは、図１６に示すように、同様に金属材からなり、支持部材Ｃ1 と押え部材２３とからなる。その支持部材Ｃ1 は、瓦棒葺屋根の瓦棒部６に適用されるものである。支持上面部１８の幅方向両側より挟持部１９，１９が形成され、該挟持部１９，１９を介して瓦棒部６に挟持固定する。
【００４２】
次に、植栽部支持体Ｂ0 をトレー状支持体Ｂ2 としたタイプについて図２１乃至図２３に基づいて説明する。このタイプでは、まず前述し収納筺体Ｂと同様に上部が開口した筺体に形成されたものである（図２２参照）。その床面部１０には、多数の水抜き孔ｈ，ｈ，…が形成されており、収納された植栽部２６の水が落下するようになっている（図２３参照）。落下した水は、前述のトレー状支持体Ｂ2 と金属屋根Ａとの間に形成される空隙部Ｓを落下するので、必要以上の水分が溜まることがなく、根腐れ等の不都合を防止することができる。
【００４３】
このトレー状支持体Ｂ2 は、合成樹脂から形成されたものが、軽量であり、且つ大量生産に向いている等の点で好適である。また、トレー状支持体Ｂ2 は薄い金属で形成することもできる。若干、重量は増えても低コストで製作できる。そのトレー状支持体Ｂ2 は、前述した収納筺体Ｂと同様に、床面部１０に縦立上り側部１１，１１及び横立上り側部１３，１３が形成されたものであり、植栽部２６を収納すると、植栽部２６が前記縦立上り側部１１及び横立上り側部１３によって周囲が囲まれるようになり、安定した収納状態にできる。前記水抜き孔ｈ，ｈ，…は、床面部１０に略均一に配置形成されており、植栽部２６の水抜きが効率的に行なわれるようになっている。
【００４４】
このように、植栽部支持体Ｂ0 をトレー状支持体Ｂ2 として使用することで、予め屋根等の据付け現場以外の工場，倉庫等の植栽部保管場所等にて植栽部２６を収納することができる。そして植栽部２６入りトレー状支持体Ｂ2 を屋根の据え付け現場に搬送するのみで、緑化屋根を施工することができる。また、屋根に配置された多数のトレー状支持体Ｂ2 ，Ｂ2 ，…の中に枯れたり，根腐れ等の不良が入り込んでいても、そのトレー状支持体Ｂ2 のみを交換することができるものであり、保守，管理作業が効率的にできるものである。
【００４５】
次に、植栽部支持体Ｂ0 をパレット状支持体Ｂ3 としたタイプについて、図２４乃至図２６に基づいて説明する。このパレット状支持体Ｂ3 は、図２５（Ａ）に示すように、床面部１０のみから構成され、前述したトレー状支持体Ｂ2 のように縦立上り側部１１及び横立上り側部１３が存在しないものである。また、床面部１０には、格子状又は網目状となるようにして、上下方向に貫通する多数の貫通孔が構成され、これらが水抜き孔ｈ，ｈ，…としての役目をなすものである〔図２５（Ｂ）参照〕。
【００４６】
また、パレット状支持体Ｂ3 は、１枚の板材からなり、これらに多数の水抜き孔ｈ，ｈ，…が形成されるものも存在する。パレット状支持体Ｂ3 は、幅方向における寸法が金属屋根Ａの隣接する山形部１，１間の間隔よりも大きく形成されることがあり、このような場合には、前記貫通孔状に形成された水抜き孔ｈ，ｈ，…に支持具Ｃの固定用ナット２５を貫通させて、固定するものである。このパレット状支持体Ｂ3 は、合成樹脂から形成されることがあり、この合成樹脂にて形成されたものが、大量生産に好適で且つ軽量で扱いやすいものである。また、このパレット状支持体Ｂ3 では、前述したように、縦立上り側部１１及び横立上り側部１３が存在しないものであり、床面部１０に植栽部２６を載置することにより、各植栽部２６の周囲には何ら囲むべき仕切り部位が存在していない。そのために、緑化屋根の草刈り等の作業を行ないやすくすることができる。
【００４７】
次に、植栽部支持体Ｂ0 を簀の子状支持体Ｂ4 としたタイプについて、図２７乃至図２９に基づいて説明する。この簀の子状支持体Ｂ4 は、前記パレット状支持体Ｂ3 と略同様であり、略床面部１０のみから構成される〔図２８（Ａ）参照〕。その簀の子状支持体Ｂ4 の床面部１０は、これをベースとして、複数本の溝状部が形成されている〔図２８（Ｂ）参照〕。この溝状部が水抜き孔ｈ，ｈ，…の役目をなすものである。したがって、屋根に配置するには、その溝状部とした水抜き孔ｈの形成（長手）方向を常時水上側と水下側に沿って配置されることが好ましい。この簀の子状支持体Ｂ4 は、合成樹脂から形成されることがあり、この合成樹脂にて形成されたものが、大量生産に好適で且つ軽量で扱いやすいものである。また、前述したパレット状支持体Ｂ3 と同様に、この簀の子状支持体Ｂ4 においても、縦立上り側部１１及び横立上り側部１３が存在しないものであり、床面部１０に植栽部２６を載置することにより、各植栽部２６の周囲には何ら囲むべき仕切り部位が存在していない。そのために、緑化屋根の草刈り等の作業を行ないやすくすることができる。
【００４８】
次に、植栽部支持体Ｂ0 をシート状支持体Ｂ5 としたタイプについて、図３０に基づいて説明する。このシート状支持体Ｂ5 は、種々のものが存在し、まず網状としたものである。この網状としたもので、金属又は合成樹脂製から形成されたものが好適である。金属網としたものでは、強度的，耐久性等の点で優れたものである。また、合成樹脂としたものでは、柔軟性に富、交換等が容易にでき、扱いやすいものである。その他に、鉄板に多数の貫通孔が形成されたエキスパンドメタルやパンチングメタルが使用されたり、多数の水抜き孔ｈ，ｈ，…が形成されたフィルムシートタイプ等のものが存在する。上記トレー状支持体Ｂ2 ，パレット状支持体Ｂ3 ，簀の子状支持体Ｂ4 及びシート状支持体Ｂ5 は、市販されている物をそのままの状態で使用することができ、この点においても、施工上極めて有利な点である。
【００４９】
通路材Ｄは、図１７に示すように、収納筺体Ｂの略同等の枠材２７にパンチングメタル，金属網材等の通路部２８が装着されたものである。また、この通路材Ｄは、図１８に示すように、金属薄板材や木製の板材を使用することもある。この場合には、通路材Ｄの厚さは、収納筺体Ｂよりも薄くなることもある。これに対応する支持具Ｃの押え部材２３は図１８（Ｂ）に示すように、押さえ片２３ａが高さが異なる２つの押さえ片２３ａ，２３ａから形成されるものとしている。この通路材Ｄは、前記収納筺体Ｂとともに金属屋根Ａ上に支持具Ｃを介して装着される。通常は、通路材Ｄは、前記収納筺体Ｂに隣接して配置され、収納筺体Ｂの植栽部２６の保守管理を行いやすくするものである。
【００５０】
次に、栽培層を構成する植栽部２６は、図４に示すように、植栽層２６ａと土壌層２６ｂとから構成されている。そして、植栽層２６ａと土壌層２６ｂとはシート状に形成されたものである。また前記植栽層２６ａは、植栽マット材としたもので、繊維質の材質から構成され、平面的に見て略正方形或いは長方形の偏平布団状に形成されたものであり、植物が成長して行くものである。また、土壌層２６ｂは、繊維質以外のもので木質のものや石質のものであっても構わない。また、前記植栽部２６は、予め所定期間成長済みとしたものが使用されることもある。これによって、緑化屋根の施工が完了するとともに、成長した植物の鑑賞がすぐにできるものであり、従来のように、緑化屋根の基礎ができたとしても、植物の成長が遅いために、本格的な緑化屋根の完成がさらに遅れるという不都合を解消することができる。
【００５１】
次に、施工について説明する。金属屋根Ａを構成する複数の屋根板材Ａ1 ，Ａ1 ，…の山形部１の頂部に支持具Ｃが装着される。該支持具Ｃは、挟持部１９，１９を介して金属屋根Ａの連結継手箇所に装着される。これを順次繰り返して、金属屋根Ａの連結継手箇所に沿って複数の支持具Ｃ，Ｃ，…が所定間隔をおいて装着されてゆく。次に、隣接する支持具Ｃ，Ｃ間に亘ってその支持上面部１８，１８上に収納筺体Ｂ及び通路材Ｄが敷設され、支持上面部１８と押え部材２３にて収納筺体Ｂの幅方向端部及び長手方向両端部が挟持固定されるものである。前記収納筺体Ｂ及び通路材Ｄの長手方向は、前記屋根板材Ａ1 の長手方向と同一方向としたり、又は収納筺体Ｂ及び通路材Ｄの長手方向を屋根板材Ａ1 の長手方向に直交する方向に配置することもある（図１９参照）。また、植栽部支持体Ｂ0 に設置された前記植栽部２６には、飛散防止ネット３０が被覆され、植栽部支持体Ｂ0 から脱落することを防止することもある。この飛散防止ネット３０は、前記支持具Ｃ等を介して前記植栽部支持体Ｂ0 に固定される。
【図面の簡単な説明】
【００５２】
【図１】本発明における第１タイプの金属屋根に収納筺体を配置したの斜視図である。
【図２】（Ａ）は本発明における第１タイプの金属屋根に収納筺体を配置した縦断正面略示図、（Ｂ）は（Ａ）の拡大断面図である。
【図３】（Ａ）は本発明における第１タイプの金属屋根に対応する支持具を装着した状態の縦断正面図、（Ｂ）は第１タイプの金属屋根に対応する支持具の正面図、（Ｃ）は（Ｂ）における挟持部を閉じた状態の正面図、（Ｄ）は（Ｃ）の側面図、（Ｅ）は（Ｂ）の平面図である。
【図４】植栽部入り収納筺体の斜視図である。
【図５】収納筺体の分解斜視図である。
【図６】（Ａ）は収納筺体の本体部の断面図、（Ｂ）は端部壁材の断面図、（Ｃ）は収納筺体の斜視図である。
【図７】（Ａ）は左右の本体部間に床板部材を設けたタイプの収納筺体の要部斜視図、（Ｂ）は（Ａ）の要部拡大断面図、（Ｃ）は幅方向寸法を適宜変更できる収納筺体の作用図である。
【図８】左右の本体部と床板部材とを溶接にて接合した状態の収納筺体の要部拡大断面図である。
【図９】（Ａ）は床板部材を左右の本体部に差込みタイプとした収納筺体の縦断正面略示図、（Ｂ）は本体部の要部拡大断面図、（Ｃ）は床板部材を左右の本体部との接続箇所の拡大断面図である。
【図１０】（Ａ）は本体部と床板部材とを係止状態で接合するタイプの収納筺体の斜視図、（Ｂ）は本体部と床板部材との係止箇所における拡大断面図である。
【図１１】（Ａ）は押え部材を連結継手部に装着した状態の斜視図、（Ｂ）は押え部材の斜視図、（Ｃ）は連結継手部に支持具と押え部材とで収納筺体を固定した状態の縦断正面図である。
【図１２】（Ａ）は第２タイプの金属屋根による本発明の正面図、（Ｂ）は（Ａ）の拡大断面図である。
【図１３】本発明における第２タイプの金属屋根に対応する支持具を装着した状態の縦断正面図である。
【図１４】（Ａ）は第２タイプの金属屋根に対応する支持具の正面図、（Ｂ）は（Ａ）の平面図である。
【図１５】（Ａ）本発明における第３タイプの金属屋根に対応する支持具を装着した状態の縦断正面図、（Ｂ）は第３タイプの金属屋根に対応する支持具の斜視図である。
【図１６】（Ａ）本発明における第４タイプの金属屋根に対応する支持具を装着した状態の縦断正面図、（Ｂ）は第４タイプの金属屋根に対応する支持具の斜視図である。
【図１７】（Ａ）は収納筺体とともに通路材を設けた状態の斜視図、（Ｂ）は通路材の斜視図、（Ｃ）は通路材を支持具にて固定した要部縦断正面図である。
【図１８】（Ａ）は薄板材を使用した通路材を本発明に使用した状態の斜視図、（Ｂ）は通路材を支持具にて固定した要部縦断正面図である。
【図１９】収納筺体を屋根板材の長手方向に直交させて配置した使用例を示す斜視図である。
【図２０】（Ａ）は収納筺体がプレス加工にて形成されたタイプの収納筺体、（Ｂ）は（Ａ）の要部斜視図、（Ｃ）は横立上り側部を折曲形成した要部斜視図、（Ｄ）は横立上り側部に続いて縦立上り側部を折曲形成した要部斜視図、（Ｅ）はプレス加工完了状態の要部斜視図、（Ｆ）横立上り側部と縦立上り側部とを溶接手段で固着した要部斜視図である。
【図２１】本発明における第１タイプの金属屋根にトレー状支持体を配置したの斜視図である。
【図２２】トレー状支持体の一部切除した斜視図である。
【図２３】（Ａ）は本発明における第１タイプの金属屋根にトレー状支持体を配置した縦断正面略示図、（Ｂ）は（Ａ）の拡大断面図である。
【図２４】本発明における第１タイプの金属屋根にパレット状支持体を配置したの斜視図である。
【図２５】（Ａ）は一部切除した植栽部をパレット状支持体に設置した斜視図、（Ｂ）はパレット状支持体の要部斜視図である。
【図２６】（Ａ）は本発明における第１タイプの金属屋根にパレット状支持体を配置した縦断正面略示図、（Ｂ）は（Ａ）の拡大断面図である。
【図２７】本発明における第１タイプの金属屋根に簀の子状支持体を配置したの斜視図である。
【図２８】（Ａ）は一部切除した植栽部を簀の子状支持体に設置した斜視図、（Ｂ）は簀の子状支持体の要部斜視図である。
【図２９】（Ａ）は本発明における第１タイプの金属屋根に簀の子状支持体を配置した縦断正面略示図、（Ｂ）は（Ａ）の拡大断面図である。
【図３０】本発明における第１タイプの金属屋根にシート状支持体を配置したの斜視図である。
【符号の説明】
【００５３】
Ａ1 …屋根板材、Ａ…金属屋根、Ｂ…収納筺体、Ｂ1 …本体部、Ｂ0 …植栽部支持体、Ｂ1 …本体部、Ｂ2 …トレー状支持体、Ｂ2 …トレー状支持体、
Ｂ3 …パレット状支持体、Ｂ5 …シート状支持体、Ｃ…支持具、Ｄ…通路材、
Ｔ…連結継手部、３…馳締部、３ａ…下馳部、３ｂ…上馳部、３ｃ…首部、
４…嵌合継手部、４ａ…被嵌合屈曲部、４ｂ…キャップ材、５…立馳締部、６…瓦棒部、１０…床面部、１１…縦立上り側部、１２…螺子溝条、１３…横立上り側部、
１４…床板部材、１９…挟持部、２６…植栽部、２６ａ…植栽層、２６ｂ…土壌層、
ｈ…水抜き孔。
【図１】
2005315046.tif 000003
【図２】
2005315046.tif 000004
【図３】
2005315046.tif 000005
【図４】
2005315046.tif 000006
【図５】
2005315046.tif 000007
【図６】
2005315046.tif 000008
【図７】
2005315046.tif 000009
【図８】
2005315046.tif 000010
【図９】
2005315046.tif 000011
【図１０】
2005315046.tif 000012
【図１１】
2005315046.tif 000013
【図１２】
2005315046.tif 000014
【図１３】
2005315046.tif 000015
【図１４】
2005315046.tif 000016
【図１５】
2005315046.tif 000017
【図１６】
2005315046.tif 000018
【図１７】
2005315046.tif 000019
【図１８】
2005315046.tif 000020
【図１９】
2005315046.tif 000021
【図２０】
2005315046.tif 000022
【図２１】
2005315046.tif 000023
【図２２】
2005315046.tif 000024
【図２３】
2005315046.tif 000025
【図２４】
2005315046.tif 000026
【図２５】
2005315046.tif 000027
【図２６】
2005315046.tif 000028
【図２７】
2005315046.tif 000029
【図２８】
2005315046.tif 000030
【図２９】
2005315046.tif 000031
【図３０】
2005315046.tif 000032